(57)【要約】    【課題】複数の子機のカメラ部にて撮像されるデジタル映像信号のフレームレートを、当該子機の台数に対応して変化させ時分割多重で親機に伝送し、当該親機にてマルチ画面表示及び録画を行う。    【解決手段】複数の子機１ａ、１ｂのカメラ部１１ａ、１１ｂにて撮像されたデジタル映像信号Ｓ11a、Ｓ11bのフレームレートを、当該子機の台数に対応してフレームレート変化部１２ａ、１２ｂにて変化させ、データ送出部１３ａ、１３ｂは、フレームレート変化部からの映像データＳ12a、Ｓ12bをそれぞれのスロットが割り当てられた時分割多重で個別の伝送路Ｌ1a、Ｌ1bを経由して親機２に伝送する。また、親機は、データ受信部２０にて受信された映像データをもとに、複数の子機のカメラ部にて撮像されたデジタル映像信号をモニタ部２１にマルチ画面表示させるとともに録画部２２に録画する。  【選択図】図１
2009159229.tif 000002
【特許請求の範囲】
【請求項１】
来訪者の映像を撮像してデジタル映像信号を出力するためのカメラ部（１１ａ、１１ｂ）を有する複数の子機（１ａ、１ｂ）と、個別の伝送路（Ｌ1a、Ｌ1b）を経由してそれぞれ接続される前記複数の子機の前記カメラ部にて撮像されたデジタル映像信号を出画するためのモニタ部（２１）を有する親機（２）とを設け、
前記複数の子機にはそれぞれ、前記複数の子機がともにデジタル映像信号を出力している状態で前記カメラ部にて撮像された前記デジタル映像信号のフレームレートを当該子機の台数Ｎ（Ｎは、２以上の正の整数。）に対応してＮ0／Ｎ（Ｎ0は、標準フレームレート。）に変化させるためのフレームレート変化部（１２ａ、１２ｂ）と、前記フレームレート変化部からの映像データをそれぞれのスロットが割り当てられた時分割多重で前記個別の伝送路に送出するためのデータ送出部（１３ａ、１３ｂ）とを備え、
前記親機には、前記個別の伝送路をそれぞれ経由して前記複数の子機から伝送されてくる前記映像データを受信し、前記複数の子機の前記カメラ部にて撮像されたデジタル映像信号をマルチ画面表示で前記モニタ部に出画させるためのデータ受信部（２０）を備えたことを特徴とするテレビドアホン装置。
【請求項２】
前記親機には、前記複数の子機から時分割多重で伝送されてくる前記デジタル映像信号を録画するための録画部（２２）を備えたことを特徴とする請求項１記載のテレビドアホン装置。
【発明の詳細な説明】
【技術分野】
【０００１】
本発明はテレビドアホン装置に係り、特に、複数の子機のカメラ部にて撮像されるデジタル映像信号の親機への出画機能及び録画機能を備えたテレビドアホン装置に関する。
【背景技術】
【０００２】
従来から、この種のテレビドアホン装置として、複数の子機のカメラにて撮像される映像信号の垂直同期処理機能を備えたテレビインターホン装置が開示されている（例えば、特許文献１を参照。）。
【０００３】
このテレビインターホン装置によれば、親機の信号処理部にて生成される基準同期信号により、複数の子機のカメラにて撮像される映像信号の垂直同期をそれぞれ一致させることができる。これにより、複数の映像信号について同じタイミングで親機のモニタに出画する例えば、ピクチャ・イン・ピクチャ表示、多分割表示を行う際に視認性の高い良好な画質表示が可能となる。
【０００４】
【特許文献１】特開２００７−２２８４１０号公報
【発明の開示】
【発明が解決しようとする課題】
【０００５】
しかしながら、背景技術に記載した特許文献１のテレビドアホン装置において、複数の子機のカメラにて撮像される映像信号を同じタイミングで親機のモニタに出画する例えば、ピクチャ・イン・ピクチャ表示、多分割表示を行うにあたっては、全ての子機において映像信号の垂直同期がそれぞれ一致するような同期結合を行わなければならず、その同期結合機能を構成する同期結合制御部が必要とされ回路構成が煩雑となるばかりでなく、コストが増大となる難点があった。
【０００６】
本発明は、この難点を解消するためになされたもので、複数の子機のカメラ部にて撮像されるデジタル映像信号のフレームレートを、当該子機の台数に対応して変化させ時分割多重で親機に伝送し、当該親機にてマルチ画面表示及び録画を行うことができるテレビドアホン装置を提供することを目的としている。
【課題を解決するための手段】
【０００７】
前述の目的を達成するため、本発明の第１の態様であるテレビドアホン装置は、来訪者の映像を撮像してデジタル映像信号を出力するためのカメラ部を有する複数の子機と、個別の伝送路を経由して接続される複数の子機のカメラ部にて撮像されたデジタル映像信号を出画するためのモニタ部を有する親機とを設けたものである。複数の子機にはそれぞれ、複数の子機がともにデジタル映像信号を出力している状態でカメラ部にて撮像されたデジタル映像信号のフレームレートを当該子機の台数Ｎ（Ｎは、２以上の正の整数。）に対応してＮ0／Ｎ（Ｎ0は、標準フレームレート。）に変化させるためのフレームレート変化部と、フレームレート変化部からの映像データをそれぞれのスロットが割り当てられた時分割多重で個別の伝送路に送出するためのデータ送出部とを備えている。親機には、個別の伝送路を経由して複数の子機から伝送されてくる映像データを受信し、複数の子機のカメラ部にて撮像されたデジタル映像信号をマルチ画面表示でモニタ部に出画させるためのデータ受信部を備えている。
【０００８】
また、本発明の第２の態様であるテレビドアホン装置は、本発明の第１の態様において、親機には、複数の子機から時分割多重で伝送されてくるデジタル映像信号を録画するための録画部を備えている。
【発明の効果】
【０００９】
本発明のテレビドアホン装置によれば、複数の子機のカメラ部にて撮像されるデジタル映像信号のフレームレートを、当該子機の台数に対応してフレームレート変化部にて変化させ、データ送出部は、フレームレート変化部からの映像データをそれぞれのスロットが割り当てられた時分割多重で個別の伝送路を経由して親機に伝送することができる。また、親機は、データ受信部にて受信された映像データをもとに、複数の子機のカメラ部にて撮像されたデジタル映像信号をモニタ部にマルチ画面表示させることができるばかりでなく録画部に録画することができる。これにより、複数の子機のカメラにて撮像される映像信号の垂直同期をそれぞれ一致させるような同期結合機能が不要とされ、コストが抑えられた簡素な構成もとに、複数の子機のカメラ部にて撮像されるデジタル映像信号をモニタ部にマルチ画面表示させることができるばかりでなく録画部に録画することができる。
【発明を実施するための最良の形態】
【００１０】
以下、本発明のテレビドアホン装置を適用した最良の実施の形態例について、図面を参照して説明する。
【００１１】
図１は、本発明の実施例によるテレビドアホン装置の具体的な構成を示すブロック図である。このテレビドアホン装置には、住戸外、例えば、異なる住戸玄関にそれぞれ設置される複数の子機、ここでは、２台の子機（以下、第１、第２の各子機という。）１ａ、１ｂと、住戸内に設置され、個別の伝送路Ｌ1a、Ｌ1bを経由して第１、第２の各子機１ａ、１ｂにそれぞれ接続される親機２とが設けられている。
【００１２】
第１、第２の各子機１ａ、１ｂはそれぞれ同様な構成で（個別の子機番号が割り当てられるもので）あり、子機操作部１０ａ、１０ｂ、カメラ部１１ａ、１１ｂ、フレームレート変化部１２ａ、１２ｂ及びデータ送出部１３ａ、１３ｂが備えられている。ここで、子機操作部１０ａ、１０ｂは、住戸玄関に居る来訪者が親機呼び出しを行うために操作するものであり、例えば、呼出ボタンにて構成されている。また、カメラ部１１ａ、１１ｂは、呼出操作を行った来訪者の映像や住戸玄関の周囲近傍の映像（監視映像を含む。）を撮像して例えば、ＹＵＶ信号等のデジタル映像信号を生成するためのものであり、例えば、ＣＤＤ、ＣＭＯＳ等の各種の映像撮像媒体にて構成されている。また、フレームレート変化部１２ａ、１２ｂは、当該第１、第２の各子機がともに個別の伝送路Ｌ1a、Ｌ1bへデジタル映像信号を出力している状態でカメラ部１１ａ、１１ｂからのデジタル映像信号のフレームレートを当該子機の台数Ｎ（Ｎは、２以上の正の整数。）に対応してＮ0／Ｎ（Ｎ0は、標準フレームレート。）に変化させる、本実施例では当該子機の台数が２台であるためにフレームレートをＮ0／２に変化させるためのものである。また、データ送出部１３ａ、１３ｂは、フレームレート変化部１２ａ、１２ｂからの映像データをそれぞれのスロットが割り当てられた時分割多重で個別の伝送路Ｌ1a、Ｌ1bに送出するためのものである。
【００１３】
また、親機２には、データ受信部２０、モニタ部２１、録画部２２及びＣＰＵ２３が備えられている。ここで、データ受信部２０は、個別の伝送路Ｌ1a、Ｌ1bを経由して第１、第２の各子機１ａ、１ｂから時分割多重で伝送されてくる映像データ（及び呼出データ）を受信し、時分割分離してモニタ部２１及びＣＰＵ２３にそれぞれ送出するためのものである。また、モニタ部２１は、データ受信部２０にて時分割分離された映像データをもとに、第１、第２の各子機１ａ、１ｂのカメラ部１１ａ、１１ｂにて撮像されたデジタル映像信号をマルチ画面表示する例えば、ピクチャ・イン・ピクチャ表示、多分割表示等の態様で出画するためのものであり、例えば、ＬＣＤ、ＴＦＴ、ＰＤＰ、有機ＥＬディスプレイ等の各種の出画表示媒体にて構成されている。また、録画部２２は、データ受信部２０にて時分割分離された映像データをもとに、第１、第２の各子機１ａ、１ｂのカメラ部１１ａ、１１ｂにて撮像されたデジタル映像信号を録画するためのものあり、例えば、ＲＡＭ、ＥＥＰＲＯＭ等の各種の記憶媒体にて構成されている。さらに、ＣＰＵ２３は、当該親機の構成各部を制御するためのものである。具体的な制御としては、データ受信部２０における受信動作を能動にするとともに、モニタ部２１を出画可能な状態に制御し、また録画部２２を録画可能な状態に制御し、さらには録画部２２に録画させたデジタル映像信号を読み出してモニタ部２１に動画表示させる制御が該当する。
【００１４】
このように構成された本発明の実施例によるテレビドアホン装置において、以下、具体的な動作について、図１、図２の信号説明図及び図３（ａ）、（ｂ）の画面構成図をそれぞれ参照して説明する。なお、図２は、第１、第２の各子機１ａ、１ｂから個別の伝送路Ｌ1a、Ｌ1bを経由して親機２に伝送される映像データ（及び呼出データ）のフレーム構成の一例を示す信号説明図である。また、図３（ａ）、（ｂ）はそれぞれ、親機２のモニタ部２１にマルチ画面表示されるデジタル映像信号の一例を示す画面構成図である。
【００１５】
図１に示す第１、第２の各子機１ａ、１ｂのうち特定の当該子機、ここでは、第１の子機１ａの子機操作部１０ａを使用して来訪者（以下、第１の来訪者という。）が所定の呼出操作を行うと、カメラ部１１ａが能動となり、呼出操作を行った第１の来訪者の映像や自子機１ａが設置された住戸玄関の周囲近傍の映像の撮像が開始される。このカメラ部１１ａにて撮像された映像であり信号処理された例えば、ＹＵＶ等のデジタル映像信号（以下、第１のデジタル映像信号という。）Ｓ11aのフレームレートは、フレームレート変化部１２ａを経由してＮ0（標準フレームレート）／２に変化し、映像データ（以下、第１の映像データという。）Ｓ12aとしてデータ送出部１３ａに送出される。このデータ送出部１３ａは、フレームレート変化部１２ａからの第１の映像データＳ12aを伝送路Ｌ1aに送出するにあたり、例えば、３０ｆｐｓに割り当てられる１〜３０に時分割された３０個のスロットのうち、１／２である１〜１５の計１５個の該当するスロットに前述の第１の映像データＳ12a及び第１の来訪者による親機呼び出しがある旨の呼出データ（以下、第１の呼出データという。）Ｓ10aをそれぞれ挿入して親機２へ時分割多重で伝送させることができる。
【００１６】
また、前述のような第１の来訪者による第１の子機１ａからの呼出時と同一のタイミングで、第２の子機１ｂの子機操作部１０ｂを使用して別途の来訪者（以下、第２の来訪者という。）が所定の呼出操作を行うと、カメラ部１１ｂが能動となり、呼出操作を行った第２の来訪者の映像や自子機１ｂが設置された住戸玄関の周囲近傍の映像の撮像が開始される。このカメラ部１１ｂにて撮像された映像であり信号処理された例えば、ＹＵＶ等のデジタル映像信号（以下、第２のデジタル映像信号という。）Ｓ11bのフレームレートは、フレームレート変化部１２ｂを経由してＮ0（標準フレームレート）／２に変化し、映像データ（以下、第２の映像データという。）Ｓ12bとしてデータ送出部１３ｂに送出される。このデータ送出部１３ｂは、フレームレート変化部１２ｂからの第２の映像データＳ12bを伝送路Ｌ1bに送出するにあたり、例えば、３０ｆｐｓに割り当てられる１〜３０に時分割された３０個のスロットのうち、前述の第１の子機１ａに割り当てられた当該スロットとは異なる１６〜３０の計１５個の該当するスロットに、前述の第２の映像データＳ12b及び第２の来訪者による親機呼び出しがある旨の呼出データ（以下、第２の呼出データという。）Ｓ10bをそれぞれ挿入して親機２へ時分割多重で伝送させることができる。
【００１７】
親機２において、データ受信部２０は、個別の伝送路Ｌ1a、Ｌ1bを経由して時分割多重で第１、第２の各子機１ａ、１ｂから伝送されてきた第１、第２の各映像データＳ12a、Ｓ12b及び第１、第２の各呼出データＳ10a、Ｓ10bを、例えば、３０ｆｐｓに割り当てられる１〜３０に時分割された３０個のスロットのうち該当するスロットより時分割分離で抽出し、第１、第２の各映像データＳ12a、Ｓ12bは、モニタ部２１及びＣＰＵ２３にそれぞれ送出する一方、第１、第２の各呼出データＳ10a、Ｓ10bはそれぞれ、ＣＰＵ２３にのみ送出する。ここで、ＣＰＵ２３は、データ受信部２０を経由して時分割分離された第１、第２の各呼出データＳ10a、Ｓ10bを受信すると、モニタ部２１を出画状態となるように制御し、第１、第２の各来訪者による親機呼び出しがある旨の呼出メッセージや絵データ等を表示させて呼出報知を行うことができる。また、ＣＰＵ２３は、データ受信部２０を経由して同様に時分割分離された第１、第２の各映像データＳ12a、Ｓ12bをもとに、第１、第２の各子機１ａ、１ｂのカメラ部１１ａ、１１ｂにて撮像されたデジタル映像信号Ｓ11a、Ｓ11bを、図３（ａ）に示すピクチャ・イン・ピクチャ表示や図３（ｂ）に示す多分割表示の態様でモニタ部２１にマルチ画面表示させることができる。さらに、ＣＰＵ２３は、データ受信部２０を経由して同様に時分割分離された第１、第２の各映像データＳ12a、Ｓ12bをもとに、第１、第２の各子機１ａ、１ｂのカメラ部１１ａ、１１ｂにて撮像されたデジタル映像信号Ｓ11a、Ｓ11bを、録画部２２に録画することができ、この録画映像は、適宜な読出操作、例えば、図１に破線で示す親機操作部（符号は付与せず。）の使用による読出操作を検出したＣＰＵ２３の制御により読み出され、モニタ部２１に動画表示させることもできる。
【００１８】
前述までの説明から明らかなように、本発明の実施例によるテレビドアホン装置によれば、背景技術に記載した特許文献１のテレビインターホン装置が有する同期結合機能が不要とされ、コストが抑えられた簡素な構成もとに、複数の子機１ａ、１ｂのカメラ部１１ａ、１１ｂにて撮像されるデジタル映像信号Ｓ11a、11bのフレームレートを、当該子機の台数に対応して変化させ時分割多重で親機２に伝送することにより、当該親機におけるモニタ部２１へのマルチ画面表示及び録画部２２への録画を行うことができる。
【００１９】
また、本発明の実施例によるテレビドアホン装置においては、複数の子機として、２台の子機１ａ、１ｂを適用したが、この台数に限定されるものではない。より複数台の当該子機を適用することもできる。例えば、３台の当該子機を適用するにあたっては、各子機のカメラ部にて撮像されるデジタル映像信号のフレームレートは、フレームレート変化部を経由してＮ0（標準フレームレート）／３に変化し、データ送出部は、フレームレート変化部からの映像データを個別の伝送路に送出するにあたり、例えば、３０ｆｐｓに割り当てられる１〜３０に時分割された３０個のスロットのうち、１／３である計１０個のスロットの該当するスロットに映像データや来訪者による親機呼び出しがある旨の呼出データをそれぞれ挿入して親機２へ時分割多重で伝送させることができる。
【００２０】
最後に、本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。例えば、来訪者による通話機能を複数の子機１ａ、１ｂに備え、また居住者による通話機能を親機２に備えたテレビドアホン装置も好適とされる。
【図面の簡単な説明】
【００２１】
【図１】図１は、本発明の実施例によるテレビドアホン装置の具体的な構成を示すブロック図。
【図２】図２は、本発明の実施例によるテレビドアホン装置において、複数の子機から個別の伝送路を経由して親機に伝送される映像データ（及び呼出データ）のフレーム構成の一例を示す信号説明図である。
【図３】図３（ａ）、（ｂ）はそれぞれ、本発明の実施例によるテレビドアホン装置において、親機のモニタ部にマルチ画面表示されるデジタル映像信号の一例を示す画面構成図。
【符号の説明】
【００２２】
１ａ、１ｂ……第１、第２の各子機（複数の子機）
１１ａ、１１ｂ……カメラ部
１２ａ、１２ｂ……フレームレート変化部
１３ａ、１３ｂ……データ送出部
２……親機
２０……データ受信部
２１……モニタ部
２２……録画部
【図１】
2009159229.tif 000003
【図２】
2009159229.tif 000004
【図３】
2009159229.tif 000005